(57)【特許請求の範囲】
【請求項１】
天井躯体に垂下されたダクトチャンバにエアフィルタユニットを連結固定するエアフィルタの取付構造であって、前記ダクトチャンバは少なくとも下方に空気吹出口を形成する箱体状のものからなり、前記エアフィルタユニットは、エアフィルタと、これを囲繞するフィルタ取付枠とからなり、前記エアフィルタはその上方側を密封材を介して前記フィルタ取付枠に密接し、下方側を前記取付枠の下面に着脱可能に固定されるものからなり、前記フィルタ取付枠は前記空気吹出口を閉止すべく前記ダクトチャンバ内に収納されて連結され、前記エアフィルタユニットが、複数個のものからなり、互いに隣接して前記ダクトチャンバ内に収納されたエアフィルタユニット同士は連結具を介して固定されるものであることを特徴とするエアフィルタの取付構造。
【発明の詳細な説明】
【０００１】
【発明の属する技術分野】
本発明は、単一又は複数個のエアフィルタユニットをダクトチャンバの空気吹出口に取り付けるエアフィルタの取付構造に関する。
【０００２】
【従来の技術】
エアフィルタの取付構造としては各種の公知技術があるが、例えば、実公平４−１４１０５号公報が挙げられる。実公平４−１４１０５号公報の第３図には、エアフィルタをガスケットを介してチャンバ内に設けたフィルタ取付枠にスタッドボルトで締付固定する構造が開示され、その第２図には、エアフィルタのエアフィルタ枠の空気流入側開口端縁部に設けたエアタイトシールにチャンバのユニット枠の内側に設けたエアフィルタ枠取付体の垂下縁（フランジ）を気密的に連結し、かつ、ユニット枠の内側に周回突出して設けた内向きのエアフィルタ枠支持鍔体にエアフィルタ枠の空気流出側開口端縁部に係当して配置され外方に突出して設けられたエアフィルタ枠支持体をエアタイトシールパッキンを介してボルト締めして気密的に固定した構造が開示されている。
【０００３】
【発明が解決しようとする課題】
前記の実公平４−１４１０５号公報の第３図に示すものは、エアフィルタとフィルタ取付枠との間やフィルタ取付枠のスタッドボルトの溶接部から塵埃がクリーンルーム内に漏れる問題点がある。また、スタッドボルトの締付けに要する無駄な空間に空気の滞留が起こり、塵埃の漏れの原因となる問題点があった。また、第２図に示すものは前記の問題点はないが、エアフィルタ枠の空気流出側開口端縁部に設けられたエアフィルタ枠支持体はエアフィルタ枠とは別体のものからなり、エアフィルタ枠の取り付け構造がやや複雑で取り付け性が劣る問題点がある。なお、実公平４−１４１０５号公報には、複数のエアフィルタを隣接して固定する技術は開示されていない。
【０００４】
本発明は、以上の事情に鑑みて創案されたものであり、ダクトチャンバに一体的構造のエアフィルタユニットを確実に、且つ簡単に取り付けることができると共に、単一および複数個のエアフィルタユニットを容易に取り付けることができるエアフィルタの取付構造を提供することを目的とする。
【０００５】
【課題を解決するための手段】
本発明のエアフィルタの取付構造は、以上の目的を達成するために、請求項１に記載の通り、天井躯体に垂下されたダクトチャンバにエアフィルタユニットを連結固定するエアフィルタの取付構造であって、前記ダクトチャンバは少なくとも下方に空気吹出口を形成する箱体状のものからなり、前記エアフィルタユニットは、エアフィルタと、これを囲繞するフィルタ取付枠とからなり、前記エアフィルタはその上方側を密封材を介して前記フィルタ取付枠に密接し、下方側を前記取付枠の下面に着脱可能に固定されるものからなり、前記フィルタ取付枠は前記空気吹出口を閉止すべく前記ダクトチャンバ内に収納されて連結され、前記エアフィルタユニットが、複数個のものからなり、互いに隣接して前記ダクトチャンバ内に収納されたエアフィルタユニット同士は連結具を介して固定されるものであることを特徴とする。
【０００７】
天井躯体から垂下されるダクトチャンバの下方に形成される空気吹出口内には、ユニット構造のエアフィルタユニットが収納されて連結される。エアフィルタユニットは、エアフィルタとフィルタ取付枠からなり、予めユニットとして組み付け可能のものである。従って、このエアフィルタユニットをダクトチャンバの空気吹出口内に収納して連結すれば組み付け作業が完了する。そのため組み付けは極めて容易である。また、エアフィルタユニットはユニット化されているためフレキシビリティに富むものが作成可能である。また、複数個のエアフィルタユニットを取り付けることも容易であり、大きな空気吹出口にも簡単に対応し得る。
【０００８】
【発明の実施の形態】
以下、本発明のエアフィルタの取付構造の実施の形態を図面を参照して詳述する。
図１は、図７に示す本発明のエアフィルタの取付構造を説明するための参考横断面図であり、図２はダクトチャンバにエアフィルタユニットを連結する１つの方法を説明する参考横断面図である。また、図３乃至図５はエアフィルタユニットを示す図であり、図６は密封材の一例を示す図である。また、図７は複数個（２個）のエアフィルタユニットの取付構造を示す横断面図である。
【０００９】
図１に示すように、天井躯体２１にはダクトチャンバ１が連結具２２により垂下支持されて固定される。ダクトチャンバ１は箱体状のものからなり、本例では天井躯体２１に密接して連結される天井板２３と、その周縁から垂直に垂下される外枠板２４と、外枠板２４の下端から水平方向に折り曲げられる折曲部２５と、折曲部２５の内縁から上方に垂直に折り曲げられるフランジ部２６と、フランジ部２６の上縁からほぼ直角に外方に向かって折り曲げられるリブ２７とからなる。なお、フランジ部２６は空気吹出口２８の周縁となる。
【００１０】
エアフィルタユニット２は、図１および図３乃至図５に示すように、エアフィルタ３とフィルタ取付枠５および密封材６からなり、前記したようにユニット形状のものからなる。
【００１１】
エアフィルタ３は、空気の清浄化を行うフィルタパック３ａとこれを囲繞して密接するエアフィルタ枠４とからなる。エアフィルタ枠４はフィルタパック３ａの外周に密接してこれを囲繞する側壁部８と、その上方に形成されて溝部９を形成する枠体部１０等とからなる。なお、側壁部８は空間部１１を形成する中空枠体状のものからなる。また、側壁部８の下方には、その周縁から外方に向かって突出して形成される固定部材１２が形成される。なお、図３に示すように、本例では側壁部８の下方周縁の一部にのみ固定部材１２が形成されているが、下方周縁の全部にわたって形成されるものでもよい。
【００１２】
次に、フィルタ取付枠５の構造を説明する。フィルタ取付枠５は、内方に空気流通孔１３を形成し、上方および下方に空気流通口１４，１５を開口形成する箱状枠体からなる。空気流通口１４，１５の形成される内部にはエアフィルタ３が収納される。フィルタ取付枠５は、エアフィルタ枠４の側壁部８から適宜間隔を介して側壁部８を囲繞して配設される外周枠１６と、外周枠１６の上方からほぼ直角に内方に向かって折曲されて形成される折返部１７と、折返部１７の端部から下方に向かってほぼ直角に折り曲げられる上方フランジ部１８と、外周枠１６の下方からほぼ直角に内方に向かって折曲られる固定部材受け部１９と、この端部から上方に向かってほぼ直角に折り曲げられる下方フランジ部２０等とからなる。なお、本例では、下方フランジ部２０は、外周枠１６の下方周縁の一部にのみ形成されているが下方周縁の全部に形成してもよい。また、上方フランジ部１８は上方の空気流通口１４を囲繞するものであり、固定部材受け部１９の内縁および下方フランジ部２０は下方の空気流通口１５を囲繞するものでもある。
【００１３】
図６は密封材６の概要構造を示すものである。密封材６はシール性を有するものが採用されるが、例えば、特開昭５９−１９３１１２号公報に開示されるような粘着力と弾力を有するシリコンゲル等の粘弾性体からなるゼリー状シール剤が好ましい。勿論、これに限定するものではない。
【００１４】
次に、エアフィルタユニット２の組立方法を図３，図４により説明する。まず、エアフィルタ３のエアフィルタ枠４の枠体部１０の溝部９内に図６に示した密封材６を挿着する。以上の状態のエアフィルタ３をフィルタ取付枠５の下方の空気流通口１５からフィルタ取付枠５内に挿入する。これにより、溝部９内にはフィルタ取付枠５の上方フランジ部１８が入り込み、上方フランジ部１８の先端が密封材６に圧接される。また、エアフィルタ枠４の側壁部８の外面はフィルタ取付枠５の下方フランジ部２０に当接し中心位置決めされる。また、上方フランジ部１８は溝部９のほぼ中心位置に位置決めされた状態で密封材６にほぼ垂直に圧接される。この状態で、図４に示すように、固定部材１２の下方からシールドポップナット３０にビス２９を入れて固定することによりエアフィルタ３とフィルタ取付枠５は一体的に固定されエアフィルタユニット２となる。
【００１５】
図２に示すように、ダクトチャンバ１は天井躯体２１に連結具２２により固定される。この状態にあるダクトチャンバ１の空気吹出口２８内に一体構造に組み付けられたエアフィルタユニット２を挿入する。フィルタ取付枠５の外周枠１６はダクトチャンバ１のフランジ部２６に案内され中心位置決めされる。次に、図１に示すように、外周枠１６とフランジ部２６とをリベット（クローズドタイプ）等の連結具３１により連結することにより、エアフィルタユニット２はダクトチャンバ１内に収納されて固定される。以上のように、本発明のエアフィルタの取付構造の場合は、極めて簡単に、且つ確実にエアフィルタユニットの取付が行われる。なお、エアフィルタ３の大きさや形状が変化してもそれに見合う形状にフィルタ取付枠５を形成してユニット化すればよくフレキシビリティに富むエアフィルタの取付構造を得ることができる。
【００１６】
図７は、複数個（図示では２個）のエアフィルタユニット２，２を互いに隣接せしめてダクトチャンバ１内に収納し固定した本発明のエアフィルタの取付構造の実施の形態を示すものである。エアフィルタユニット２，２は本例では同一形状のものからなり、その構造は前記のものと同一であり重複説明を省略する。夫々のエアフィルタユニット２，２は、例えば、ダクトチャンバ１内に収納される前に隣接して接合される。即ち、夫々のフィルタ取付枠５，５の隣接する外周枠１６，１６を連結具３２により連結することにより、エアフィルタユニット２，２は一体構造に連結される。勿論、夫々のエアフィルタユニット２，２をダクトチャンバ１内に収納した後、エアフィルタユニット２，２の連結具３２による連結を行ってもよい。前記のように一体化された２個のエアフィルタユニット群をダクトチャンバ１の空気吹出口２８内に挿入し、フィルタ取付枠５の外周枠１６とダクトチャンバ１のフランジ部２６との間を連結具３１により連結することによりエアフィルタユニット２，２はダクトチャンバ１内に収納固定される。
【００１７】
以上の説明において、ダクトチャンバ１を図１，図２，図７等に示す形状のものを採用したが、勿論この形状のものに限定するものではない。
【００１８】
【発明の効果】
１）本発明のエアフィルタの取付構造によれば、エアフィルタおよびフィルタ取付枠がユニット化され、このエアフィルタユニットをダクトチャンバ内に収納して固定する構造からなるため、取付作業が極めて容易であり、且つ確実に行われる効果が上げられる。
２）また、本発明のエアフィルタの取付構造によれば、エアフィルタユニットが複数個の場合にも夫々のエアフィルタユニットの連結が容易にでき、複数のエアフィルタユニットをダクトチャンバ内に容易に、且つ確実に収納し、固定することができる。
【図面の簡単な説明】
【図１】  本発明のエアフィルタの取付構造を説明するための参考横断面図
【図２】  エアフィルタユニットをダクトチャンバに取り付ける状態を説明するための参考横断面図
【図３】  本発明に係るエアフィルタユニットの外観を示す斜視図
【図４】  図３のＡ−Ａ線断面図
【図５】  図３のＢ−Ｂ線断面図
【図６】  本発明に係る密封材の斜視図
【図７】  ２個のエアフィルタユニットを収納したエアフィルタの取付構造を示す横断面図
【符号の説明】
１    ダクトチャンバ
２    エアフィルタユニット
３    エアフィルタ
３ａ  フィルタパック
４    エアフィルタ枠
５    フィルタ取付枠
６    密封材
８    側壁部
９    溝部
１０  枠体部
１１  空間部
１２  固定部材
１３  空気流通孔
１４  空気流通口
１５  空気流通口
１６  外周枠
１７  折返部
１８  上方フランジ部
１９  固定部材受け部
２０  下方フランジ部
２１  天井躯体
２２  連結具
２３  天井板
２４  外枠板
２５  折曲部
２６  フランジ部
２７  リブ
２８  空気吹出口
２９  ビス
３０  ポップナット
３１  連結具
３２  連結具
【図１】
0003892554.tif 000002
【図２】
0003892554.tif 000003
【図３】
0003892554.tif 000004
【図４】
0003892554.tif 000005
【図５】
0003892554.tif 000006
【図６】
0003892554.tif 000007
【図７】
0003892554.tif 000008